(57)【要約】【課題】付箋紙を簡単且つ安定して引き剥がすことができる付箋紙束およびこれを用いた付箋紙供給装置を提供する。【解決手段】本発明の付箋紙供給装置は、一方の端部を剥離可能に粘着した多数枚の付箋紙３から成る付箋紙積層体４と、厚手に構成され、最下位の付箋紙３を介して付箋紙積層体４が粘着された台材６と、から成る付箋紙束２を、着脱自在に保持する付箋紙ホルダ３１と、付箋紙ホルダ３１に保持された付箋紙束２に臨み、付箋紙積層体４の最上位の付箋紙３から１枚ずつ引き剥がして先方に送る付箋紙剥離手段と、を備え、付箋紙ホルダ３１は、付箋紙３の引き剥がしに抗して台材を押さえる台材保持部を有し、台材６は、付箋紙３の引き剥がし方向において台材保持部に係止される係止部を有している。【選択図】図３
2009113319.tif 000002
【特許請求の範囲】
【請求項１】
一方の端部を剥離可能に粘着した多数枚の付箋紙から成る付箋紙積層体と、
最下位の前記付箋紙を介して前記付箋紙積層体が粘着された台材と、を備え、
前記付箋紙積層体に対し前記台材は、外形の一部が突出していることを特徴とする付箋紙束。
【請求項２】
前記付箋紙積層体および前記台材は、平面視方形に形成されており、
前記付箋紙積層体に対し前記台材は、幅方向の２辺が突出していることを特徴とする請求項１に記載の付箋紙束。
【請求項３】
一方の端部を剥離可能に粘着した多数枚の付箋紙から成る付箋紙積層体と、最下位の前記付箋紙を介して前記付箋紙積層体が粘着された台材と、から成る付箋紙束を収容すると共に、前記付箋紙積層体からの前記付箋紙の引き剥がしを許容する付箋紙供給装置であって、
前記付箋紙束を着脱自在に保持する付箋紙ホルダと、
前記付箋紙ホルダを収容すると共に、前記付箋紙を引き剥がすための開口部を有する筐体と、を備え、
前記付箋紙ホルダは、前記付箋紙の引き剥がしに抗して前記台材を押さえる台材保持部を有し、
前記台材は、前記付箋紙の引き剥がし方向において前記台材保持部に係止される係止部を有していることを特徴とする付箋紙供給装置。
【請求項４】
一方の端部を剥離可能に粘着した多数枚の付箋紙から成る付箋紙積層体と、最下位の前記付箋紙を介して前記付箋紙積層体が粘着された台材と、から成る付箋紙束を、着脱自在に保持する付箋紙ホルダと、
前記付箋紙ホルダに保持された前記付箋紙束に臨み、前記付箋紙積層体の最上位の付箋紙から１枚ずつ引き剥がして先方に送る付箋紙剥離手段と、
前記付箋紙ホルダおよび前記付箋紙剥離手段を収容する筐体と、を備え、
前記付箋紙ホルダは、前記付箋紙の引き剥がしに抗して前記台材を押さえる台材保持部を有し、
前記台材は、前記付箋紙の引き剥がし方向において前記台材保持部に係止される係止部を有していることを特徴とする付箋紙供給装置。
【請求項５】
前記付箋紙ホルダを上方に付勢した状態で保持すると共に、前記筐体に着脱自在に装着されたカセットを、更に備えたことを特徴とする請求項４に記載の付箋紙供給装置。
【請求項６】
前記台材は、幅方向の２辺に前記付箋紙積層体から突出する余剰幅部を有し、
前記台材の前記係止部は、前記余剰幅部で構成され、
前記付箋紙ホルダの前記台材保持部は、前記各余剰幅部がスライド自在に係合すると共に前記引き剥がし方向に係止される側部のあり溝で構成されていることを特徴とする請求項３ないし５のいずれかに記載の付箋紙供給装置。
【請求項７】
一方の前記余剰幅部には、スライド方向の先端部を切り欠いた除去部位が形成され、
一方の前記余剰幅部に対応する前記付箋紙ホルダには、前記除去部位に係合する係合部位が形成されていることを特徴とする請求項６に記載の付箋紙供給装置。
【請求項８】
前記台材は、粘着部側の辺に前記付箋紙積層体から突出する余剰長さ部と、自由端側に形成した開口部と、を有し、
前記台材の前記係止部は、前記余剰長さ部と前記開口部と、で構成され、
前記付箋紙ホルダの前記台材保持部は、前記余剰長さ部が前記引き剥がし方向に係止される粘着端側のあり溝と、前記開口部が圧入される圧入突部と、で構成されていることを特徴とする請求項３ないし５のいずれかに記載の付箋紙供給装置。
【請求項９】
前記台材は、粘着部側の辺に前記付箋紙積層体から突出する余剰長さ部と、自由端側に形成した切欠き部と、を有し、
前記台材の前記係止部は、前記余剰長さ部と前記切欠き部とで構成され、
前記付箋紙ホルダの前記台材保持部は、前記余剰長さ部が前記引き剥がし方向に係止される粘着端側のあり溝と、前記切欠き部が圧入される圧入突部と、で構成されていることを特徴とする請求項３ないし５のいずれかに記載の付箋紙供給装置。
【請求項１０】
前記台材は、粘着部側の辺に前記付箋紙積層体から突出する第１余剰長さ部と、自由端側に前記付箋紙積層体から突出する第２余剰長さ部と、を有し、
前記台材の前記係止部は、前記第１余剰長さ部と前記第２余剰長さ部とで構成され、
前記付箋紙ホルダの前記台材保持部は、前記第１余剰長さ部が前記引き剥がし方向に係止される粘着端側フック部と、前記第２余剰長さ部が前記引き剥がし方向に係止される自由端側フック部と、で構成され、
前記粘着端側フック部および前記自由端側フック部の一方は、係止位置と係止解除位置との間で移動可能に構成されていることを特徴とする請求項３ないし５のいずれかに記載の付箋紙供給装置。
【請求項１１】
前記台材は、粘着部側の辺に前記付箋紙積層体から突出する第１余剰長さ部と、自由端側に前記付箋紙積層体から突出する第２余剰長さ部と、を有し、
前記台材の前記係止部は、前記第１余剰長さ部と前記第２余剰長さ部とで構成され、
前記付箋紙ホルダの前記台材保持部は、前記第１余剰長さ部の端面に食い込む鋸刃状の粘着端側突当て部と、前記第２余剰長さ部の端面に食い込む鋸刃状の自由端側突当て部と、で構成され、
前記粘着端側突当て部および自由端側突当て部の一方は、突当て位置と突当て解除位置との間で移動可能に構成されていることを特徴とする請求項３ないし５のいずれかに記載の付箋紙供給装置。
【発明の詳細な説明】
【技術分野】
【０００１】
本発明は、多数枚の付箋紙から成る付箋紙積層体と前記付箋紙積層体が粘着された台材とから成る付箋紙束およびこれを用いた付箋紙供給装置に関するものである。
【背景技術】
【０００２】
従来、市販の付箋紙束は、一部に粘着部を有する付箋紙を複数枚積層させた付箋紙積層体と、付箋紙と同じ大きさの台材とが一体になったものが知られている。
また、従来、この付箋紙束を用いる付箋紙プリンタ（付箋紙供給装置）として、最上位の付箋紙の長辺方向両端部を保持して固定する付箋紙束を付箋紙ホルダと、最上位の付箋紙を一枚ずつ引き剥がすピックアップローラ（付箋紙剥離手段）と、ピックアップローラで剥離した付箋紙を印刷送りする付箋紙送り機構と、付箋紙の自由端側から印刷処理を施す付箋紙印刷機構（印刷手段）と、を有するものが知られている（特許文献１参照）。
【特許文献１】特開２００６−１７５８７８号公報
【発明の開示】
【発明が解決しようとする課題】
【０００３】
このような従来の付箋紙束に対しユーザは、付箋紙束の側面を把持して、最上位の付箋紙を剥離するが、台材と付箋紙との剛性に著しい差異がないため、付箋紙の枚数が減ると、剥離すべき付箋紙を指で押さえてしまい付箋紙が剥離しにくいという問題があった。
また、このような付箋紙束を用いた付箋紙供給装置では、付箋紙ホルダの上端部にある前後の保持爪により、付箋紙束の粘着部側と自由端側の両端部を押さえておく構造であるため、付箋紙の剥離（引き剥がし）が不安定になる。すなわち、付箋紙束の最上位の付箋紙を自由端側から捲り上げ、さらに引き剥がそうとすると、付箋紙の粘着部側が保持爪により押さえられているため、引き剥がしの角度がとれず引き剥がしに大きな力を要する。また、付箋紙の枚数が少なくなると、引き剥がすときに付箋紙束全体が歪んでしまい、結果的に付箋紙ホルダから付箋紙束が外れてしまうという問題があった。
【０００４】
本発明は、付箋紙を簡単且つ安定して引き剥がすことができる付箋紙束およびこれを用いた付箋紙供給装置を提供することをその課題としている。
【課題を解決するための手段】
【０００５】
本発明の付箋紙束は、一方の端部を剥離可能に粘着した多数枚の付箋紙から成る付箋紙積層体と、最下位の付箋紙を介して前記付箋紙積層体が粘着された台材と、を備え、付箋紙積層体に対し台材は、外形の一部が突出していることを特徴とする。
【０００６】
この構成によれば、台材が厚手に構成され且つ手持ち部分が付箋紙積層体から突出しているため、ユーザは、付箋紙積層体に指が触れることなく、付箋紙束を把持することができる。これにより、ユーザは、付箋紙束から付箋紙を一枚ずつ確実且つ安定させて剥離することができる。
【０００７】
この場合、付箋紙積層体および台材は、平面視方形に形成されており、付箋紙積層体に対し台材は、幅方向の２辺が突出していることが、好ましい。
【０００８】
この構成によれば、ユーザは、付箋紙積層体から幅方向に突出している２辺により、付箋紙束を無理なく把持することができ、付箋紙束から付箋紙を効率よく剥離することができる。
【０００９】
本発明の付箋紙供給装置は、一方の端部を剥離可能に粘着した多数枚の付箋紙から成る付箋紙積層体と、最下位の付箋紙を介して付箋紙積層体が粘着された台材と、から成る付箋紙束を収容すると共に、付箋紙積層体からの付箋紙の引き剥がしを許容する付箋紙供給装置であって、付箋紙束を着脱自在に保持する付箋紙ホルダと、付箋紙ホルダを収容すると共に、付箋紙を引き剥がすための開口部を有する筐体と、を備え、付箋紙ホルダは、付箋紙の引き剥がしに抗して台材を押さえる台材保持部を有し、台材は、付箋紙の引き剥がし方向において台材保持部に係止される係止部を有していることを特徴とする。
【００１０】
この構成によれば、厚手に構成した台材の係止部を付箋紙ホルダの台材保持部に係止することにより、付箋紙束を付箋紙ホルダに保持することができる。すなわち、従来のように付箋紙積層体の長辺方向の両端部を上側から保持爪で押さえることなく、台材を押さえるようにして付箋紙束を保持することができる。この場合、付箋紙積層体が上側から押さえられることがなく、付箋紙を引き剥がすときに付箋紙束を保持しておくことができる。このため、ユーザが付箋紙を引き剥がすとき、これを簡単に引き剥がすことができると共に、付箋紙の枚数が減少しても、付箋紙を引き剥がす力により台材が歪んで付箋紙ホルダから外れることがない。したがって、付箋紙を最後まで安定させて剥離することができる。
【００１１】
本発明の他の付箋紙供給装置は、一方の端部を剥離可能に粘着した多数枚の付箋紙から成る付箋紙積層体と、最下位の付箋紙を介して付箋紙積層体が粘着された台材と、から成る付箋紙束を、着脱自在に保持する付箋紙ホルダと、付箋紙ホルダに保持された付箋紙束に臨み、付箋紙積層体の最上位の付箋紙から１枚ずつ引き剥がして先方に送る付箋紙剥離手段と、付箋紙ホルダおよび付箋紙剥離手段を収容する筐体と、を備え、付箋紙ホルダは、付箋紙の引き剥がしに抗して台材を押さえる台材保持部を有し、台材は、付箋紙の引き剥がし方向において台材保持部に係止される係止部を有していることを特徴とする。
【００１２】
この構成によれば、厚手に構成した台材の係止部を付箋紙ホルダの台材保持部に係止することにより、付箋紙束を付箋紙ホルダに保持することができる。すなわち、従来のように付箋紙積層体の長辺方向の両端部を上側から保持爪で押さえることなく、台材を押さえるようにして付箋紙束を保持することができる。この場合、付箋紙積層体が上側から押さえられることがなく、付箋紙を引き剥がすときに付箋紙束を保持しておくことができる。このため、付箋紙剥離手段により１枚ずつ付箋紙を引き剥がすとき、これを小さな力で簡単に引き剥がすことができると共に、付箋紙の枚数が減少しても、付箋紙を引き剥がす力により台材が歪んで付箋紙ホルダから外れることがない。したがって、付箋紙を最後の１枚まで確実かつ安定させて剥離することができる。
【００１３】
この場合、付箋紙ホルダを上方に付勢した状態で保持すると共に、筐体に着脱自在に装着されたカセットを、更に備えたことが、好ましい。
【００１４】
この構成によれば、付箋紙束を、カセットを介して筐体の所定の位置に着脱自在に装着することができる。ユーザは、筐体から取り出したカセットに対し付箋紙束を装着することになるため、付箋紙束をカセットに保持した付箋紙ホルダに簡単に着脱することができる。なお、ばね等により、カセットを受けとして付箋紙ホルダ（付箋紙束）を上方に付勢しておくことが、好ましい。
【００１５】
この場合、台材は、幅方向の２辺に付箋紙積層体から突出する余剰幅部を有し、台材の係止部は、余剰幅部で構成され、付箋紙ホルダの台材保持部は、各余剰幅部がスライド自在に係合すると共に引き剥がし方向に係止される側部のあり溝で構成されていることが、好ましい。
【００１６】
この構成によれば、余剰幅部（係止部）を介して付箋紙束を、側部のあり溝にスライド挿入することで、付箋紙束を、付箋紙ホルダに対し簡単に着脱することができる。また、側部のあり溝により台材を押さえておくことができ、付箋紙束から付箋紙を剥離するときに、付箋紙束全体が浮き上がるのを有効に防止することができる。
【００１７】
この場合、一方の余剰幅部には、スライド方向の先端部を切り欠いた除去部位が形成され、一方の余剰幅部に対応する付箋紙ホルダには、除去部位に係合する係合部位が形成されていることが、好ましい。
【００１８】
この構成によれば、一方の余剰幅部の除去部位とこれに対応する付箋紙ホルダの係合部位とにより、付箋紙ホルダに対する付箋紙束のセット方向を規制することができる。すなわち、付箋紙束の粘着部（糊付け部）がスライドセット方向の先方となるか手前となるかが規制されるため、ユーザが誤った方向で付箋紙ホルダに付箋紙束をセットしてしまうのを防止することができる。
【００１９】
この場合、台材は、粘着部側の辺に付箋紙積層体から突出する余剰長さ部と、自由端側に形成した開口部と、を有し、台材の係止部は、余剰長さ部と開口部と、で構成され、付箋紙ホルダの台材保持部は、余剰長さ部が引き剥がし方向に係止される粘着端側のあり溝と、開口部が圧入される圧入突部と、で構成されていることが、好ましい。
【００２０】
同様に、台材は、粘着部側の辺に付箋紙積層体から突出する余剰長さ部と、自由端側に形成した切欠き部と、を有し、台材の係止部は、余剰長さ部と切欠き部とで構成され、付箋紙ホルダの台材保持部は、余剰長さ部が引き剥がし方向に係止される粘着端側のあり溝と、切欠き部が圧入される圧入突部と、で構成されていることが、好ましい。
【００２１】
これらの構成によれば、粘着側のあり溝に台材の余剰長さ部を係止した状態で、付箋紙束の開口部或いは切欠き部を、上方から付箋紙ホルダの圧入突部に圧入することで、付箋紙ホルダに対し付箋紙束を簡単且つ不動にセットすることができる。すなわち、付箋紙の引き剥がしに際し、付箋紙束は、付箋紙ホルダの粘着側のあり溝と圧入突部とにより、浮き上がることがない。なお、開口部或いは切欠き部の位置を、台材のセンターから位置ズレさせて設けることが好ましく、このようにすれば、付箋紙束のセット方向を規制することができる。
【００２２】
この場合、台材は、粘着部側の辺に付箋紙積層体から突出する第１余剰長さ部と、自由端側に付箋紙積層体から突出する第２余剰長さ部と、を有し、台材の係止部は、第１余剰長さ部と第２余剰長さ部とで構成され、付箋紙ホルダの台材保持部は、第１余剰長さ部が引き剥がし方向に係止される粘着端側フック部と、第２余剰長さ部が引き剥がし方向に係止される自由端側フック部と、で構成され、粘着端側フック部および自由端側フック部の一方は、係止位置と係止解除位置との間で移動可能に構成されていることが、好ましい。
【００２３】
これらの構成によれば、付箋紙ホルダの粘着端側フック部および自由端側フック部により、台材における粘着部側と自由端側とを押さえておくことができる。また、自由端側フック部を係止解除位置に移動し、第１余剰長さ部を粘着端側フック部に係止した後、自由端側フック部を係止位置に移動することで、付箋紙束を付箋紙ホルダに対し簡単な操作で着脱させることができる。
【００２４】
この場合、台材は、粘着部側の辺に付箋紙積層体から突出する第１余剰長さ部と、自由端側に付箋紙積層体から突出する第２余剰長さ部と、を有し、台材の係止部は、第１余剰長さ部と第２余剰長さ部とで構成され、付箋紙ホルダの台材保持部は、第１余剰長さ部の端面に食い込む鋸刃状の粘着端側突当て部と、第２余剰長さ部の端面に食い込む鋸刃状の自由端側突当て部と、で構成され、粘着端側突当て部および自由端側突当て部の一方は、突当て位置と突当て解除位置との間で移動可能に構成されていることが、好ましい。
【００２５】
この構成によれば、粘着端側突当て部および自由端側突当て部を台材に食い込ませることにより、台材における粘着部側と自由端側とを押さえておくことができる。また、自由端側突当て部を突当て解除位置に移動し、第１余剰長さ部を粘着端側突当て部に突き当てた後、自由端側突当て部を突当て位置に移動することで、付箋紙束を付箋紙ホルダに対し簡単な操作で着脱させることができる。
【００２６】
この場合、付箋紙剥離手段により引き剥がして先方に送られてゆく付箋紙に臨み、付箋紙に印刷を行う印刷手段を、更に備えたことが、好ましい。
【００２７】
この構成によれば、付箋紙束から一枚一枚剥離した付箋紙に対して印刷処理を施すことができる付箋紙供給装置を提供することができる。
【発明を実施するための最良の形態】
【００２８】
以下、添付した図面を参照して、本発明の第１実施形態に係る付箋紙供給装置を利用した付箋紙プリンタについて説明する。この付箋紙供給装置は、図外のパーソナルコンピュータ（パソコン）と接続しており、パソコンからの制御により、装置ケース内部にセットされた付箋紙束から、１枚ずつ付箋紙を引き離しながら印刷を行った印刷済みの付箋紙や、1枚ずつ引き離した印刷されない状態の付箋紙（白紙状態）を装置外部に排出するものである。
【００２９】
図１を参照して、先ず付箋紙プリンタ１の供給対象物である付箋紙束２について説明する。付箋紙束２は、例えば長方形に形成され、裏面の一方の端部に粘着部（糊付け部）を有する付箋紙３を複数枚積層させた付箋紙積層体４と、付箋紙積層体４より大きく形成された台材６と、で構成されている。台材６は、剛性のある部材（例えば、厚紙、アクリル板、樹脂等）で構成され、外形の一部（例えば、付箋紙３の幅方向の２辺（付箋紙ホルダの挿入方向に対して左右の辺））が、付箋紙積層体４から突出し、付箋紙３を引き剥がす際の持ち手部分となる一対の余剰幅部（係止部）５を有している。そして、最下位の付箋紙３の粘着部を介して付箋紙積層体４が、台材６に粘着固定されることで、付箋紙束２が構成されている。各余剰幅部５は、所定の幅を有して付箋紙束２の長さ方向に延在しており、一方の余剰幅部５（図示手前側）の先端部には、後述する付箋紙ホルダ３１に形成された突出部（係合部位）３６と係合する切欠き部（除去部位）３５が形成されている。
【００３０】
図２および図３に示すように、付箋紙プリンタ１は、筐体である装置ケース１１により外殻を形成した装置本体１２と、付箋紙束２をセットした状態で装置本体１２に装着される付箋紙カセット１３と、図外のインクリボンＲを収容したリボンカートリッジと、で構成されている。付箋紙カセット１３を介して装置本体１２内にセットされた付箋紙束２に対し、後述する装置本体１２の内部装置が臨み、最上位の付箋紙３から１枚ずつ引き剥がし且つ送りながら、インクリボンＲを介してパソコンから取得したデータを印刷し、これを装置ケース１１に形成した付箋紙排紙口１４から送り出すようにしている。
【００３１】
装置ケース１１は、全体として小型に形成されており、装置ケース１１の上面には、装置のメンテナンスおよびリボンカートリッジを装着するための開閉蓋１５が取り付けられている。また、装置ケース１１の中央部前面には、付箋紙３を装置ケース１１外部に送り出すためのスリット形状に形成された付箋紙排紙口１４が形成されている。さらに、装置ケース１１の下部前面には、引出し式の付箋紙カセット１３を着脱するためのカセット導入開口１６が形成されている。なお、以降の説明においても、付箋紙排紙口１４側を「前」、その反対側を「後」として説明する。したがって、セットされた付箋紙束２の自由端側が「前」となり、粘着部側が「後」となる。
【００３２】
図３に示すように、装置本体１２は、下側に位置して付箋紙束２を着脱自在に保持する付箋紙カセット１３が装着されるカセット装着部２１と、カセット装着部２１に装着された付箋紙カセット１３（付箋紙束２）の上方に位置し、付箋紙カセット１３に対峙して付箋紙３に印刷処理を行なう付箋紙印刷機構（印刷手段）２３と、後述するピックアップローラ２４により付箋紙束２の最上位の付箋紙３を捲り上げた後、引き剥がすと共に、付箋紙印刷機構２３に付箋紙３を送り付箋紙排紙口１４から排出する付箋紙剥離機構（付箋紙剥離手段）２５と、これらを収容する装置ケース１１と、を備えている。なお、付箋紙剥離機構２５のピックアップローラ２４は、付箋紙印刷機構２３のプラテンローラを兼ねている。
【００３３】
付箋紙剥離機構２５は、付箋紙束２の最上位にある付箋紙３を引き剥がして前方に送るものであり、最上位の付箋紙３に転接してこれを捲り上げて、後述するサーマルヘッド４１と共に捲り上げた付箋紙３を挟持して回転送りするピックアップローラ２４と、ピックアップローラ２４を捲り上げ位置４２および付箋紙３に対して印刷を行なう印刷位置４３との間を移動させるローラ移動手段４４と、ＤＣモータで構成されており、ピックアップローラ２４およびローラ移動手段４４の駆動源となる駆動モータ４５（図５参照）と、駆動モータ４５の駆動力をピックアップローラ２４およびローラ移動手段４４に伝達する減速ギヤ列４６と、を備えている。
【００３４】
ピックアップローラ２４は、捲り上げ位置４２において、付箋紙３を捲り上げ且つ捲り上げた付箋紙３の自由端側の裏面に転接すると、ローラ移動手段４４により回動アーム４７を介して挟持位置４８に移動し、挟持位置４８においてサーマルヘッド４１と協働して付箋紙３を付箋紙束２から引き剥がしながら回転送りする。
【００３５】
付箋紙印刷機構２３は、付箋紙排紙口１４の近傍に配設され、引き剥がされた付箋紙３に印刷を行うサーマルヘッド４１と、装着されたリボンカートリッジのインクリボンＲを巻き取るリボン巻取り機構（図示省略）と、を有している。リボンカートリッジは、インクリボンＲを繰り出し自在に巻回したリボン繰出しリールと、インクリボンＲを巻き取るリボン巻取りリール４９と、これらを回転自在に収容するカートリッジケース（図示省略）とから構成されている。また、リボン巻取り機構は、ピックアップローラ２４が印刷位置４３へ移動すると、上記の減速ギヤ列４６と連結して駆動モータ４５からの動力が入力するようになっており、付箋紙３の印刷送りと併せて、インクリボンＲの巻取りを開始するようになっている。
【００３６】
図４に示すように、付箋紙カセット１３は、上部を開放した箱状に形成されており、内部に付箋紙束２を保持する付箋紙ホルダ３１と、付箋紙ホルダ３１を上方に付勢する２つのコイルばね３２と、が組み込まれている。２つのコイルばね３２は、前後に離間して配設されており、付箋紙カセット１３を底面を受けとして付箋紙ホルダ３１、すなわち付箋紙束２を上方に付勢している。一方、付箋紙カセット１３の上側の端部には、２つのコイルばね３２により付勢された付箋紙ホルダ３１の上昇位置を規制する規制部１７が形成されている。また、付箋紙カセット１３の前端部には、付箋紙束２を付箋紙ホルダ３１にスライドセットするための切欠き開口３３が形成されている。
【００３７】
付箋紙ホルダ３１は、台材６を介して、付箋紙束２を水平に保持するものであり、前壁を除去したトレイ状に形成されている。また、両側壁の内側には、底面に連なる一対の側部のあり溝（台材保持部）３４が形成されている。付箋紙束２は、台材６の一対の余剰幅部５を対応する側部のあり溝３４に位置合わせし、切欠き開口３３からスライドさせるようにして、付箋紙ホルダ３１にセットする。また取り外すときには逆の手順で行う。付箋紙ホルダ３１にセットされた付箋紙束２に、上側からピックアップローラ２４が押圧接触すると、２つのコイルばね３２に抗して、付箋紙束２および付箋紙ホルダ３１が沈み込み、ピックアップローラ２４の押圧を許容する。
【００３８】
また、付箋紙ホルダの一方（図示手前側）には、台材６の切欠き部３５と係合する突出部３６が形成されている。この場合、台材６の切欠き部３５を付箋紙ホルダ３１の突出部３６に位置合わせして、付箋紙束２を付箋紙ホルダ３１にスライドセットすることにより、切欠き部３５と突出部３６とが噛み合うようにして付箋紙束２が完全装着され、付箋紙束２の自由端と付箋紙ホルダ３１の前端との位置が一致する。一方、台材６の切欠き部３５を付箋紙ホルダ３１の突出部３６に合わない状態で、付箋紙束２を付箋紙ホルダ３１にスライドセットすると、付箋紙束２と付箋紙ホルダ３１の前側とが一致しないため、不完全なセット状態となる。したがって、ユーザが付箋紙束２のセット方向の間違いに気づくことにより、付箋紙束２のセット不良が防止される。
【００３９】
次に、図５を参照して、付箋紙プリンタ１の制御系の構成について説明する。付箋紙プリンタ１は、駆動部５１と、付箋紙剥離部５２と、印刷処理部５３と、これら各部と接続され、付箋紙プリンタ１全体を制御する制御部５４と、から構成されている。駆動部５１は、ヘッドドライバ５５と、駆動モータドライバ５６とを備え、ヘッドドライバ５５は、印刷処理部５３のサーマルヘッド４１の駆動を制御し、駆動モータドライバ５６は、印刷処理部５３のリボン巻取りリール４９の駆動を制御すると共に、付箋紙剥離部５２のピックアップローラ２４および回動アーム４７の駆動を制御する。
【００４０】
ここで、図６を参照して、付箋紙３が付箋紙束２から捲り上げられてから排出されるまでの一連の動作について説明する。印刷待機状態において、ピックアップローラ２４は、セットされた付箋紙束２の最上位の付箋紙３表面の中間部自由端側に当接している（図６（ａ）参照）。ユーザが印刷開始を指示すると、駆動モータ４５が駆動して、ピックアップローラ２４が回転して付箋紙３の捲り上げ動作を開始する。すなわち、ピックアップローラ２４が最上位の付箋紙３に対し当接し回転運動することで、その長手方向の中間部が次第に上方へと湾曲するように撓んでいく（図６（ｂ）参照）。
【００４１】
捲り上がっていく付箋紙３の自由端がピックアップローラ２４の下側を通過した直後、付箋紙３は、ピックアップローラ２４の回転により、ピックアップローラ２４の上側に撥ね上げられ、付箋紙３の剛性により自由端部がピックアップローラ２４に乗り上げる（図６（ｂ）参照）。付箋紙３を乗せたピックアップローラ２４は、さらに回転を続けて基端部を中心に印刷位置へと移動する。印刷位置４３に達した付箋紙３は、ピックアップローラ２４とサーマルヘッド４１により挟持される。これをトリガーにインクリボンＲの送りが開始される（図６（ｃ）参照）。
【００４２】
印刷位置４３に臨んだピックアップローラ２４は、サーマルヘッド４１と協働して、挟み込んだ付箋紙３を付箋紙束２から引き剥がし、自由端側を先頭にして付箋紙排紙口１４に向けて付箋紙３を送ると同時に、付箋紙３の表面に自由端側から印刷を行う（図６（ｄ）参照）。付箋紙３の粘着端側が印刷位置を通過し、印刷済み付箋紙３が付箋紙排紙口１４から排出されると、ピックアップローラ２４は、その回転を停止すると共に、捲り上げ位置４２に移動する（図６（ｅ）参照）。
【００４３】
以上のように、本実施形態の付箋紙プリンタ１によれば、付箋紙束２は、台材６の余剰幅部５を介して固定されているため、最上位の付箋紙３とその一枚下の付箋紙３を引き剥がす力のみで付箋紙束２から引き剥がすことができる。また、付箋紙束２全体が歪むことがないため付箋紙ホルダ３１から外れることがなく、付箋紙束２から付箋紙３を確実に剥離することができる。
【００４４】
次に、図７を参照して、第１実施形態の第１変形例に係る付箋紙ホルダ３１廻りの構造について説明する。なお、重複した記載を避けるべく、異なる部分についてのみ記載する。
【００４５】
この変形例の付箋紙束２の台材６は、粘着部側（後端側）の辺が付箋紙積層体４から突出した余剰長さ部６１と、自由端側に形成した円形の開口部６２と、を有している。また、付箋紙ホルダ３１には、余剰長さ部６１を引き剥がし方向に係止する粘着側のあり溝６３と、開口部６２と相補的な形状（円形）を有する圧入突部６４と、が形成されている（図７参照）。また、付箋紙ホルダ３１の前端部は、付箋紙束２のセットを案内する傾斜面となっている。
【００４６】
すなわち、付箋紙ホルダ３１に付箋紙束２をセットするときは、粘着側のあり溝６３に余剰長さ部６１をはめ込むと共に、開口部６２に圧入突部６４を位置合わせする（図７（ａ）参照）。そして、付箋紙束２を、傾斜面に案内させて付箋紙ホルダ３１側に押し込むように圧入することでセットする（図７（ｂ）参照）。これにより、付箋紙ホルダ３１に付箋紙束２が水平にセットされる。この場合も、付箋紙束２が付箋紙ホルダ３１に動かないようにセットされ、付箋紙３を引き剥がすときに、付箋紙束２が浮き上がることがない。
【００４７】
次に、第１実施形態の第２変形例に係る付箋紙ホルダ３１廻りの構造について説明する。この変形例の付箋紙束２の台材６は、上記の開口部６２に代えて、切欠き部６５が形成されていることのみが、第１変形例と異なる。切欠き部６５は、台材６の前部中央を前方から方形に切欠いて形成されており、これに対応して、付箋紙ホルダ３１には、切欠き部６５と相補的な形状（方形）を有する圧入突部６４と、が形成されている。すなわち、粘着側のあり溝６３に余剰長さ部６１をはめ込むと共に、切欠き部６５に圧入突部６４を位置合わせし（図７（ｃ）参照）、傾斜面に案内させて、付箋紙束２を圧入することで、付箋紙束２が付箋紙ホルダ３１にセットされる（図７（ｄ）参照）。これにより、付箋紙ホルダ３１に付箋紙束２が垂直に動かないようにセットされ、付箋紙３を引き剥がすときに、付箋紙束２が浮き上がることがない。
【００４８】
以上の構成により、粘着側のあり溝６３に余剰長さ部６１を押し込むと共に、上方から付箋紙束２を圧入することで簡単に付箋紙ホルダ３１に付箋紙束２をセットすることができる。また、セット方向を規制することができるため、ユーザの誤セットを防止することができる。なお、圧入突部６４の外周面を鋸刃状（ギザ刃状）に形成し、或いは圧入突部６４を星形に形成し、圧入時に、圧入突部６４が開口部６２や切欠き部６５に食い込むようにしてもよい（図示省略）。
【００４９】
次に、図８を参照して、第１実施形態の第３変形例に係る付箋紙ホルダ３１廻りの構造について説明する。この変形例の付箋紙束２の台材６は、長さ方向の２辺（付箋紙ホルダの挿入方向に対して前後の辺）が付箋紙積層体４から突出する前後の余剰長さ部７１，７２（第１余剰長さ部および第２余剰長さ部）を有している。また、付箋紙ホルダ３１の前端部および後端部には、両余剰長さ部７１，７２を引き剥がし方向に係止する粘着端側フック部７３と、自由端側フック部７４と、が形成されている。
【００５０】
粘着端側フック部７３は、付箋紙ホルダ３１の幅いっぱいに延在し、自由端側フック部７４は、付箋紙ホルダ３１の幅方向の中央部に設けられている。自由端側フック部７４は、断面「Ｔ」字状に形成され、付箋紙ホルダ３１の前端部に回動自在に取り付けられている。自由端側フック部７４の回動軸７５には、図示では省略したが、ねじりコイルばねが組み込まれており、このコイルばねに抗して自由端側フック部７４を外側に引き倒すようにして、付箋紙束２を付箋紙ホルダ３１にセットするようになっている。
【００５１】
すなわち、自由端側フック部７４を係止解除位置である外側（前側）に回動し、粘着端側フック部７３に後側の余剰長さ部７２をはめ込み、付箋紙束２を位置決めする（図８（ａ）参照）。次に、コイルばねにより、自由端側フック部７４を係止位置に回動して、前側の余剰長さ部７１を係止することでセットする（図８（ｂ）参照）。これにより、付箋紙ホルダ３１に付箋紙束２が水平に動かないようにセットされる。なお、付箋紙ホルダ３１に、図８（ｂ）の状態に、前側の余剰長さ部７１を規制するストッパを設けておくことが、好ましい。また、特に図示しないが、自由端側フック部７４は、ゴムなどの素材でできており、曲げるようにして、係止解除位置に移動するようにしてもよい。
【００５２】
図８（ｃ）および図８（ｄ）は、自由端側フック部７４を水平方向にスライド自在としたものであり、内部に図示しないコイルばねを組み込んだ自由端側フック部７４が、付箋紙ホルダ３１の前端部に前後方向にスライド自在に取り付けられている。この場合には、自由端側フック部７４を、コイルばねに抗して前方にスライド移動させておいてから、付箋紙束２を付箋紙ホルダ３１に位置決めし（図８（ｃ）参照）、その後、自由端側フック部７４から手を離して付箋紙束２をセット状態とする（図８（ｄ）参照）。この場合も、付箋紙束２は、前側の余剰長さ部７１において自由端側フック部７４および粘着端側フック部７３により係止され、付箋紙ホルダ３１から浮き上がることがない。
【００５３】
次に、図９を参照して、第１実施形態の第４変形例に係る付箋紙ホルダ３１廻りの構造について説明する。この場合の付箋紙ホルダ３１は、後側の余剰長さ部７２の端面に食い込む鋸刃状の粘着端側突当て部７６と、前側の余剰長さ部７１の端面に食い込む鋸刃状の自由端側突当て部７７と、が形成されている。粘着端側突当て部７６は、付箋紙ホルダ３１の後端部に一体に形成されており、自由端側突当て部７７は、上記の自由端側フック部７４と同様に、付箋紙ホルダ３１の後端部にスライド自在に取り付けられている。この場合も、自由端側突当て部７７には、コイルばねが組み込まれている（上述の説明参照）。
【００５４】
すなわち、自由端側突当て部７７を突当て解除位置にスライドさせ、第１余剰長さ部７１の側面を粘着側突当て部７６に当接すると共に、自由端側突当て部７７を突当て位置に戻すことで、後側の余剰長さ部７２に粘着側突当て部７６が、また後側の余剰長さ部７２に自由端側突当て部７７が、それぞれ食い込み、付箋紙束２が付箋紙ホルダ３１にセットされる。これにより、付箋紙ホルダ３１に付箋紙束２が動かないようにセットされる。
【００５５】
次に、図１０を参照して、本発明の第２実施形態について説明する。この装置は、ユーザが付箋紙束から付箋紙を剥離するものであり、いわゆる付箋紙ディスペンサー（付箋紙供給装置）である。なお、重複した記載をさけるべく第１実施形態と異なる部分のみを記載する。
【００５６】
図１０に示すように、付箋紙ディスペンサー８１は、上記の付箋紙カセット１３が下側から着脱自在に装着されるケース８２と、ケース８２の中央に配設され、装着した付箋紙カセット１３の付箋紙束２に上側から接触する付箋紙捲り機構８３と、を備えている。ケース８２は、上側が広く開放された開口部となっており、この部分からユーザが手を差し入れて、付箋紙束２から付箋紙３を引き剥がす。なお、本実施形態における付箋紙３および付箋紙ホルダ３１は、第１実施形態の各付箋紙ホルダ３１を使用するものである。
【００５７】
付箋紙捲り機構８３は、ケース８２の一部に取り付けられており、付箋紙束２の上側に接触するように臨み、付箋紙束２から付箋紙３を捲り上げる捲り上げローラ８４と、捲り上げローラ８４と同軸上に位置し、ユーザが付箋紙３を捲り上げるために回転させる手動操作ノブ８５と、捲り上げローラ８４および手動操作ノブ８５が固定された回転軸８６と、回転軸８６を回転自在に軸支する一対の軸受け部８７と、から構成されている。
【００５８】
捲り上げローラ８４は、回転表面がゴム等の素材で形成されており、付箋紙束２の自由端側に接触している。この場合、付箋紙束２をセットしている付箋紙ホルダ３１がコイルばね３２により上方に付勢されているため、捲り上げローラ８４は常に付箋紙束２に接触している。ユーザが、手動操作ノブ８５を回転させると、同軸上の捲り上げローラ８４が付箋紙束２の最上位の付箋紙３を捲り上げるようになっている。
【００５９】
すなわち、ユーザが、手動操作ノブ８５を手前に向かって回転させると、それに伴って捲り上げローラ８４も手前に回転する。この捲り上げローラ８４の回転運動によって、付箋紙束２の最上位の付箋紙３の中央部が湾曲させて持ち上がる。捲り上がっていく付箋紙３の自由端が捲り上げローラ８４の直下を通過した直後、付箋紙３は、捲り上げローラ８４の回転により、捲り上げローラ８４の上側に撥ね上げられ、付箋紙３の剛性により自由端部が捲り上げローラ８４に乗り上げる。ここで、ユーザは、付箋紙３を引き剥がす。
【００６０】
以上の構成により、付箋紙束２は、余剰幅部５を介して付箋紙ホルダ３１に保持されており、付箋紙ホルダ３１、ケース８２および捲り上げローラ８４により、捲り上げローラ８４に当接した位置に保持されている。よって、付箋紙積層体４が歪むことなく、ユーザが、付箋紙束２から付箋紙３を確実に剥離することができる。
【００６１】
なお、本実施形態の付箋紙プリンタ１および付箋紙ディスペンサー８１に使用する付箋紙束２は、単体で使用する場合も技術的意義を有している（図１参照）。すなわち、上記の一対の余剰幅部５や前後の余剰長さ部７１，７２は、付箋紙束２から付箋紙３を引き剥がすときに手持ち部分となり、付箋紙３を引き剥がし時に安定させることができる。ユーザは、この一対の余剰幅部５等を把持して、付箋紙３を引き剥がすが、厚手に構成した台材６は、その剛性により、または一対の余剰幅部５等は、付箋紙積層体４と指の接触を阻止するため、付箋紙３を安定して引き剥がすことができる。特に、付箋紙３が残り少なくなった付箋紙束２において、顕著である。
【図面の簡単な説明】
【００６２】
【図１】付箋紙束の斜視図である。
【図２】付箋紙プリンタの外観斜視図である。
【図３】付箋紙プリンタの断面図である。
【図４】付箋紙カセット廻りの分解斜視図である。
【図５】制御装置の模式図である。
【図６】付箋紙プリンタの一連の動作を示す説明図である。
【図７】第１変形例および第２変形例に係る付箋紙ホルダ廻りの断面図である。
【図８】第３変形例に係る付箋紙ホルダ廻りの断面図である。
【図９】第４変形例に係る付箋紙ホルダ廻りの断面図である。
【図１０】第２実施例に係る付箋紙ディスペンサーの外観斜視図である。
【符号の説明】
【００６３】
１…付箋紙プリンタ  ２…付箋紙束  ３…付箋紙  ４…付箋紙積層体  ５…余剰幅部  ６…台材  １１…装置ケース  １７…規制部  ２２…カセット  ２５…付箋紙剥離機構  ３１…付箋紙ホルダ  ３４…側部のあり溝  ３５…切欠き部  ３６…突出部  ６２…開口部  ６３…粘着端側のあり溝  ６４…圧入突部  ６５…切欠き部  ７１，７２…余剰長さ部  ７３…粘着端側フック部  ７４…自由端側フック部  ７６…粘着端側突当て部  ７７…自由端側突当て部  ８２…ケース  ８３…付箋紙捲り機構
【図１】
2009113319.tif 000003
【図２】
2009113319.tif 000004
【図３】
2009113319.tif 000005
【図４】
2009113319.tif 000006
【図５】
2009113319.tif 000007
【図６】
2009113319.tif 000008
【図７】
2009113319.tif 000009
【図８】
2009113319.tif 000010
【図９】
2009113319.tif 000011
【図１０】
2009113319.tif 000012